(57)【要約】【課題】干渉を軽減することによってスループットや各端末装置の通信機会を向上させること。【解決手段】下りリンク制御情報を受信する受信部を備え、所定の送信モードの場合、所定の下りリンク制御情報フォーマットに対して第２のＲＮＴＩに基づいて前記下りリンク制御情報を復号し、前記所定の下りリンク制御情報フォーマット以外の下りリンク制御情報フォーマットに対しては第１のＲＮＴＩに基づいて前記下りリンク制御情報を復号する。【選択図】図４
2018056605.tif 000002
【特許請求の範囲】
【請求項１】
基地局装置と通信する端末装置であって、
前記基地局装置から下りリンク制御情報を受信する受信部を備え、
所定の送信モードの場合、所定の下りリンク制御情報フォーマットに対して第２のＲＮＴＩに基づいて前記下りリンク制御情報を復号し、前記所定の下りリンク制御情報フォーマット以外の下りリンク制御情報フォーマットに対しては第１のＲＮＴＩに基づいて前記下りリンク制御情報を復号する端末装置。
【請求項２】
前記所定の下りリンク制御情報フォーマットの場合は、共通探索領域もしくは端末装置固有探索領域で前記下りリンク制御情報を受信し、
前記所定の下りリンク制御情報フォーマット以外の下りリンク制御情報フォーマットの場合は、端末装置固有探索領域で前記下りリンク制御情報を受信する請求項１に記載の端末装置。
【請求項３】
端末装置と通信する基地局装置であって、
前記端末装置に対して下りリンク制御情報を送信する送信部を備え、
所定の送信モードの場合、所定の下りリンク制御情報フォーマットに対して第２のＲＮＴＩに基づいて前記下りリンク制御情報をマスクし、前記所定の下りリンク制御情報フォーマット以外の下りリンク制御情報フォーマットに対して第１のＲＮＴＩに基づいて前記下りリンク制御情報をマスクする基地局装置。
【請求項４】
前記所定の下りリンク制御情報フォーマットの場合は、共通探索領域もしくは端末装置固有探索領域で前記下りリンク制御情報を送信し、
前記所定の下りリンク制御情報フォーマット以外の下りリンク制御情報フォーマットの場合は、端末装置固有探索領域で前記下りリンク制御情報を送信する請求項３に記載の基地局装置。
【請求項５】
基地局装置と通信する端末装置における通信方法であって、
前記基地局装置から下りリンク制御情報を受信する受信ステップを有し、
所定の送信モードの場合、所定の下りリンク制御情報フォーマットに対して第２のＲＮＴＩに基づいて前記下りリンク制御情報を復号し、前記所定の下りリンク制御情報フォーマット以外の下りリンク制御情報フォーマットに対しては第１のＲＮＴＩに基づいて前記下りリンク制御情報を復号する通信方法。
【請求項６】
端末装置と通信する基地局装置における通信方法であって、
前記端末装置に対して下りリンク制御情報を送信する送信ステップを有し、
所定の送信モードの場合、所定の下りリンク制御情報フォーマットに対して第２のＲＮＴＩに基づいて前記下りリンク制御情報をマスクし、前記所定の下りリンク制御情報フォーマット以外の下りリンク制御情報フォーマットに対して第１のＲＮＴＩに基づいて前記下りリンク制御情報をマスクする通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、システム容量の増大や通信機会の向上のために、複数の端末装置を同じ時間、周波数、空間リソースに割り当て、非直交多重して送信する技術の検討が進められている。基地局装置で複数の端末装置を非直交多重して送信するため、ユーザ間干渉が生じる。従って、端末装置はユーザ間干渉をキャンセルする必要がある。ユーザ間干渉をキャンセルする技術としては、例えば、干渉信号を復号した後に干渉除去するＣＷＩＣ（ｃｏｄｅｗｏｒｄ  ｌｅｖｅｌ  Ｉｎｔｅｒｆｅｒｅｎｃｅ  Ｃａｎｃｅｌｌａｔｉｏｎ）がある。上記のことは非特許文献１に記載されている。
【先行技術文献】
【非特許文献】
【０００４】
【非特許文献１】“Ｅｎｈａｎｃｅｄ  Ｍｕｌｔｉｕｓｅｒ  Ｔｒａｎｓｍｉｓｓｉｏｎ  ａｎｄ  Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ”、３ＧＰＰ  ＴＳＧ  ＲＡＮ  Ｍｅｅｔｉｎｇ  ＃６６、２０１４年１２月。
【発明の概要】
【発明が解決しようとする課題】
【０００５】
しかしながら、端末装置でＣＷＩＣなどの干渉除去技術をするためには、端末装置は、干渉信号を復調／復号するためのパラメータ等、干渉信号に関する情報を知る必要がある。
【０００６】
本発明はこのような事情を鑑みてなされたものであり、その目的は、干渉を軽減することによってスループットや各端末装置の通信機会の向上が可能な基地局装置、端末装置及び通信方法を提供することにある。
【課題を解決するための手段】
【０００７】
上述した課題を解決するために本発明に係る基地局装置、端末装置および通信方法の構成は、次の通りである。
【０００８】
本発明に係る端末装置は、基地局装置と通信する端末装置であって、前記基地局装置から下りリンク制御情報を受信する受信部を備え、所定の送信モードの場合、所定の下りリンク制御情報フォーマットに対して第２のＲＮＴＩに基づいて前記下りリンク制御情報を復号し、前記所定の下りリンク制御情報フォーマット以外の下りリンク制御情報フォーマットに対しては第１のＲＮＴＩに基づいて前記下りリンク制御情報を復号する。
【０００９】
また本発明の端末装置において、前記所定の下りリンク制御情報フォーマットの場合は、共通探索領域もしくは端末装置固有探索領域で前記下りリンク制御情報を受信し、
前記所定の下りリンク制御情報フォーマット以外の下りリンク制御情報フォーマットの場合は、端末装置固有探索領域で前記下りリンク制御情報を受信する。
【００１０】
また本発明の基地局装置において、端末装置と通信する基地局装置であって、前記端末装置に対して下りリンク制御情報を送信する送信部を備え、所定の送信モードの場合、所定の下りリンク制御情報フォーマットに対して第２のＲＮＴＩに基づいて前記下りリンク制御情報をマスクし、前記所定の下りリンク制御情報フォーマット以外の下りリンク制御情報フォーマットに対して第１のＲＮＴＩに基づいて前記下りリンク制御情報をマスクする。
【００１１】
また本発明の基地局装置において、前記所定の下りリンク制御情報フォーマットの場合は、共通探索領域もしくは端末装置固有探索領域で前記下りリンク制御情報を送信し、前記所定の下りリンク制御情報フォーマット以外の下りリンク制御情報フォーマットの場合は、端末装置固有探索領域で前記下りリンク制御情報を送信する。
【００１２】
また本発明に係る通信方法は、基地局装置と通信する端末装置における通信方法であって、前記基地局装置から下りリンク制御情報を受信する受信ステップを有し、所定の送信モードの場合、所定の下りリンク制御情報フォーマットに対して第２のＲＮＴＩに基づいて前記下りリンク制御情報を復号し、前記所定の下りリンク制御情報フォーマット以外の下りリンク制御情報フォーマットに対しては第１のＲＮＴＩに基づいて前記下りリンク制御情報を復号する。
【００１３】
また本発明に係る通信方法は、端末装置と通信する基地局装置における通信方法であって、前記端末装置に対して下りリンク制御情報を送信する送信ステップを有し、所定の送信モードの場合、所定の下りリンク制御情報フォーマットに対して第２のＲＮＴＩに基づいて前記下りリンク制御情報をマスクし、前記所定の下りリンク制御情報フォーマット以外の下りリンク制御情報フォーマットに対して第１のＲＮＴＩに基づいて前記下りリンク制御情報をマスクする。
【発明の効果】
【００１４】
本発明によれば、干渉信号を軽減することができ、スループットや端末装置の通信機会を向上させることができる。
【図面の簡単な説明】
【００１５】
【図１】本実施形態に係る通信システムの例を示す図である
【図２】本実施形態に係る送信信号の電力割当ての例を示す図である
【図３】本実施形態に係る基地局装置の構成例を示すブロック図である
【図４】本実施形態に係る端末装置の構成例を示すブロック図である
【発明を実施するための形態】
【００１６】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００１７】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１８】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００１９】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２０】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００２１】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００２２】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率により定められたインデックス（CQI Index）とすることができる。前記ＣＱＩ値は、予め当該システムで定めたものをすることができる。
【００２３】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２４】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２５】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２６】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００２７】
ＰＲＡＣＨは、ランダムアクセスプリアンブルを送信するために用いられる。
【００２８】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００２９】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３０】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３１】
ＰＢＣＨは、端末装置で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００３２】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３３】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３４】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３５】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３６】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００３７】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００３８】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding type Indicator）などが該当する。
【００３９】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４０】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４１】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４２】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４３】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４４】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４５】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００４６】
ここで、ＲＲＣメッセージおよび／またはＭＡＣ  ＣＥを、上位層の信号（higher layer signaling）とも称する。
【００４７】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４８】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００４９】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５０】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５１】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５２】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５３】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５４】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００５５】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００５６】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５７】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００５８】
基地局装置は、時間、周波数及び空間（例えば、アンテナポート、ビームパターン、プリコーディングパターン）でリソースを分割することなく複数の端末装置を多重することができる。時間、周波数及び空間でリソースを分割することなく複数の端末装置を多重することを、以下では非直交多重とも称する。以下では、２つの端末装置を非直交多重する場合を説明するが、本発明はこれに限らず、３つ以上の端末装置を非直交多重することも可能である。
【００５９】
基地局装置は非直交多重する複数の端末装置に対して、共通の端末装置固有参照信号を送信することができる。つまり、基地局装置は、複数の端末装置に対して、時間、周波数及び空間で同じリソース、同じ参照信号系列を用いて参照信号を送信することができる。
【００６０】
図１の基地局装置１Ａが、端末装置２Ａと端末装置２Ｂを非直交多重する場合を例に説明する。基地局装置１Ａは、端末装置２Ａへの送信信号と、端末装置２Ｂへの送信信号とを、異なる送信電力を割当てて送信することができる。例えば、以下の説明では、端末装置２Ｂに対するＰＤＳＣＨの送信電力が、端末装置２Ａに対するＰＤＳＣＨの送信電力よりも大きい場合を説明する。端末装置２ＡのＰＤＳＣＨをＰＤＳＣＨ１（第１のＰＤＳＣＨ）、端末装置２ＢのＰＤＳＣＨをＰＤＳＣＨ２（第２のＰＤＳＣＨ）とも称する。また、基地局装置１Ａは、端末装置２Ａと端末装置２Ｂに対して、共通の端末装置固有参照信号を送信する。また、基地局装置１Ａは、共通の端末装置固有参照信号の送信電力を、端末装置２ＢがＰＤＳＣＨ２を復調するために好適な送信電力とすることができる。例えば、基地局装置１Ａは、共通の端末装置固有参照信号とＰＤＳＣＨ２に対して、同じ送信電力を割当てて送信することができる。もしくは、基地局装置１Ａは、共通の端末装置固有参照信号の送信電力に、ＰＤＳＣＨ１の送信電力とＰＤＳＣＨ２の送信電力のトータルの送信電力を割当てることができる。
【００６１】
基地局装置１Ａは、例えば図２に示すように、ＰＤＳＣＨ１及び／又はＰＤＳＣＨ２を送信することができる。なお、図２では、ＰＤＳＣＨ１とＰＤＳＣＨ２の周波数が完全に重なっている場合を示しているが、本発明はこれに限らず、ＰＤＳＣＨ１とＰＤＳＣＨ２の割当てが一部でも重なっていれば本発明に含まれる。図２に記載しているＰ１はＰＤＳＣＨ１の送信電力、Ｐ２はＰＤＳＣＨ２の送信電力を表している。基地局装置は、ＰＤＳＣＨ１とＰＤＳＣＨ２を非直交多重して送信するため、合計の送信電力はＰ１＋Ｐ２となる。図２では、端末装置固有参照信号の送信電力がＰ２の場合を示しているが、Ｐ１＋Ｐ２とすることもできるし、Ｐ２とＰ１＋Ｐ２の間とすることもできる。
【００６２】
基地局装置が複数の端末装置宛の信号を非直交多重して送信した場合、ＰＤＳＣＨ１とＰＤＳＣＨ２は互いに干渉となる。この場合、少なくとも端末装置２Ａは、自装置宛の信号電力よりも干渉電力の方が大きいため、干渉信号のハンドリング、除去または抑圧をする必要がある。このような干渉信号をマルチユーザ干渉、ユーザ間干渉、マルチユーザ伝送による干渉、同一チャネル干渉などと言う。干渉信号を除去又は抑圧するためには、例えば、干渉信号の復調又は復号結果から求められる干渉信号レプリカ信号を受信信号から減算する。干渉信号を除去又は抑圧するためには、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ）、送信信号候補の中から最もそれらしいものを探索する最尤検出（ＭＬＤ：Ｍａｘｉｍｕｍ  Ｌｉｋｅｌｉｈｏｏｄ  Ｄｅｔｅｃｔｉｏｎ）などがある。
【００６３】
端末装置２Ａは、干渉信号の除去又は抑圧に必要なパラメータを、基地局装置から受信もしくはブラインド検出によって検出することができる。端末装置２Ｂは、必ずしも干渉信号の除去または抑圧は必要としない。端末装置２Ｂが干渉キャンセルしない場合、干渉信号電力は比較的小さいため、端末装置２Ｂは、干渉信号に関するパラメータを知らなくても、自装置宛の信号を復調することができる。つまり、基地局装置１Ａが端末装置２Ａ及び２Ｂを非直交多重する場合、端末装置２Ａは、非直交多重による干渉信号を除去又は抑圧する機能を備える必要があるが、端末装置２Ｂは干渉除去又は抑圧する機能を備えなくてもよい。言い換えると、基地局装置１Ａは、非直交多重をサポートしている端末装置と非直交多重をサポートしていない端末装置を非直交多重することができる。また、別の言い方では、基地局装置１Ａは、異なる送信モードが設定されている端末装置を非直交多重することができる。従って、各端末装置の通信機会を向上させることができる。
【００６４】
基地局装置１Ａは、干渉となる端末装置（この例では端末装置２Ｂ）に関する情報（アシスト情報、補助情報、制御情報、設定情報）を、端末装置２Ａに対して送信する。基地局装置１Ａは、上位層の信号または物理層の信号（制御信号、ＰＤＣＣＨ、ＥＰＤＣＣＨ）で、干渉となる端末装置に関する情報（ＮＡＩＣＳ（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）情報、ＮＡＩＣＳアシスト情報、ＮＡＩＣＳ設定情報、ＭＵ（Ｍｕｌｔｉｕｓｅｒ）−ＮＡＩＣＳ情報、ＭＵ−ＮＡＩＣＳアシスト情報、ＭＵ−ＮＡＩＣＳ設定情報、ＮＯＭＡ（Ｎｏｎ  Ｏｒｔｈｏｇｏｎａｌ  Ｍｕｌｔｉｐｌｅ  Ａｃｃｅｓｓ）情報、ＮＯＭＡアシスト情報、ＮＯＭＡ設定情報）を送信することができる。
【００６５】
ＭＵ−ＮＡＩＣＳアシスト情報には、ＰＡに関する情報、送信モード、端末固有参照信号の送信電力に関する情報、干渉信号のＰＤＳＣＨの送信電力に関する情報、ＰＭＩ、サービングセルのＰＡに関する情報、サービングセルの端末固有参照信号の送信電力に関する情報、変調方式、ＭＣＳ（Ｍｏｄｕｌａｔｉｏｎ  ａｎｄ  Ｃｏｄｉｎｇ  Ｓｃｈｅｍｅ）、リダンダンシーバージョン、ＲＮＴＩ（Ｒａｄｉｏ  Ｎｅｔｗｏｒｋ  Ｔｅｍｐｏｒａｒｙ  Ｉｄｅｎｔｉｆｉｅｒ）、送信モードに関する情報の一部または全部が含まれる。
【００６６】
なお、ＰＡは、ＣＲＳが配置されていないＯＦＤＭシンボルにおけるＰＤＳＣＨとＣＲＳの送信電力比（電力オフセット）である。端末装置固有参照信号の送信電力に関する情報は、例えば、端末装置固有参照信号の送信電力とＰＤＳＣＨの送信電力との電力比（電力オフセット）を示す。干渉信号のＰＤＳＣＨの送信電力に関する情報は、例えば、干渉信号のＰＤＳＣＨの送信電力（図２の例ではＰ２）、干渉信号と自装置宛のＰＤＳＣＨの送信電力との電力比（図２の例ではＰ２／Ｐ１又はＰ１／Ｐ２、なおここでは／を除算の意味で用いる）である。端末装置固有参照信号の送信電力がＰ２の場合、端末装置は、端末装置固有参照信号の送信電力とＰＤＳＣＨの送信電力との電力比によって、干渉信号と自装置宛のＰＤＳＣＨの送信電力との電力比を得ることができる。
【００６７】
また、送信モードに関する情報は、干渉信号の送信モードや基地局装置１Ａが設定できる（設定する可能性のある）送信モードの候補など、端末装置２Ａが干渉信号の送信モードを知る（検出する）ためのアシスト情報である。
【００６８】
また、上記のＭＵ−ＮＡＩＣＳアシスト情報に含まれるパラメータの各々は、１つの値（候補）が設定されても良いし、複数の値（候補）が設定されても良い。複数の値が設定された場合は、端末装置は、そのパラメータについては、複数の値から干渉信号に設定されているパラメータを検出（ブラインド検出）する。また、上記のＭＵ−ＮＡＩＣＳアシスト情報に含まれるパラメータの一部または全部は、上位層の信号で送信される。また、上記のＭＵ−ＮＡＩＣＳアシスト情報に含まれるパラメータの一部または全部は、物理層の信号で送信される。
【００６９】
また、ＭＵ−ＮＡＩＣＳアシスト情報は、様々な測定を行うときに用いられても良い。測定は、ＲＲＭ（Ｒａｄｉｏ  Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定を含む。
【００７０】
また、端末装置２Ａがキャリアアグリゲーション（Ｃａｒｒｉｅｒ  Ａｇｇｒｅｇａｔｉｏｎ：ＣＡ）をサポートしている場合、基地局装置１Ａはプライマリセル（Ｐｒｉｍａｒｙ  Ｃｅｌｌ：ＰＣｅｌｌ）及び／又はセカンダリセル（Ｓｅｃｏｎｄａｒｙ  Ｃｅｌｌ：ＳＣｅｌｌ）に対するＭＵ−ＮＡＩＣＳアシスト情報を設定することができる。また、基地局装置１Ａは、ＭＵ−ＮＡＩＣＳアシスト情報をＰＣｅｌｌのみに対して設定又は送信することもできる。
【００７１】
基地局装置１Ａは、上記ＭＵ−ＮＡＩＣＳアシスト情報に含まれるパラメータのうち、少なくとも端末固有参照信号の送信電力に関する情報を下りリンク制御情報に含めて送信することができる。なお、ここでは、少なくとも端末固有参照信号の送信電力に関する情報を含んだ下りリンク制御情報を第１のＤＣＩとも呼称し、端末固有参照信号の送信電力に関する情報を含まない下りリンク制御情報を第２のＤＣＩとも呼称する。また、第１のＤＣＩに対応するＤＣＩフォーマットを第１のＤＣＩフォーマットと呼称し、第２のＤＣＩに対応するＤＣＩフォーマットを第２のＤＣＩフォーマットと呼称する。
【００７２】
基地局装置１Ａは、端末装置２Ａに対して、所定の送信モードのときに第１のＤＣＩフォーマットを用いて第１のＤＣＩを送信することができる。また、基地局装置１Ａは、端末装置２Ａ及び２Ｂを非直交多重する場合、干渉信号の除去または抑圧を行う端末装置２Ａに対しては第１のＤＣＩを送信し、端末装置２Ｂに対して第２のＤＣＩを送信することができる。なお、端末装置２Ａは、端末装置２Ｂが自身の送信モード以外の送信モードであると想定して、干渉信号を除去または抑圧することができる。
【００７３】
端末装置２Ａは、上位層の信号及び／又は物理層の信号で、ＭＵ−ＮＡＩＣＳアシスト情報を受信し、ＭＵ−ＮＡＩＣＳアシスト情報に基づいて、干渉信号を除去または抑圧するためのパラメータを検出（特定）し、前記パラメータを用いて干渉信号を除去又は抑圧する。なお、端末装置２Ａは、ＭＵ−ＮＡＩＣＳ情報に含まれていないパラメータについて、パラメータの候補を順に検出を試みるブラインド検出によって、検出することができる。
【００７４】
基地局装置は、ＰＤＣＣＨ／ＥＰＤＣＣＨで運ばれる下りリンク制御情報のＣＲＣ（巡回冗長検査：Ｃｙｃｌｉｃ  Ｒｅｄｕｎｄａｎｃｙ  Ｃｈｅｃｋ）に暗示的にＲＮＴＩを符号化して送信する。端末装置は、自装置宛のＰＤＣＣＨ／ＥＰＤＣＣＨをＲＮＴＩに基づいたブラインド復号を行って、下りリンク制御情報を検出する。また基地局装置は、ＰＤＳＣＨに対して、ＲＮＴＩに基づいたスクランブリングを施して送信する。端末装置は、ＰＤＳＣＨを誤り訂正復号する際には、ＲＮＴＩに基づいたデスクランブリングが必要となる。
【００７５】
基地局装置１Ａは、ＭＵ−ＮＡＩＣＳアシスト情報を送信する場合もしくは所定の送信モードの場合、端末装置２Ａに対して、２種類のＲＮＴＩを割り当てることができる。２種類のＲＮＴＩをそれぞれ第１のＲＮＴＩ（例えばＣｅｌｌ  ＲＮＴＩ）と第２のＲＮＴＩと呼ぶ。基地局装置１Ａは、第２のＲＮＴＩはＭＵ−ＮＡＩＣＳアシスト情報に含めることができる。基地局装置１Ａは、第２のＲＮＴＩを上位層の信号又は物理層の信号で送信することができる。基地局装置１Ａは、下りリンク制御情報を第１のＲＮＴＩでマスクし、ＰＤＳＣＨで運ばれるコードワードは第２のＲＮＴＩに基づいてスクランブリングして送信することができる。また、基地局装置１Ａは、端末装置２Ａ及び２Ｂを非直交多重する場合、ＰＤＳＣＨ１の信号（コードワード）及びＰＤＳＣＨ２の信号（コードワード）を同じＩＤの第２のＲＮＴＩに基づいてスクランブリングして送信することができる。端末装置２Ａは、所定の送信モードが設定された場合もしくはＭＵ−ＮＡＩＣＳ情報を受信した場合、第１のＲＮＴＩに基づいて下りリンク制御情報をブラインド復号し、第２のＲＮＴＩに基づいて干渉信号の除去または抑圧を行う。また端末装置２Ａは、自装置宛のＰＤＳＣＨの信号に対して、第２のＲＮＴＩに基づいてデスクランブリングを行って誤り訂正復号を行う。例えば、基地局装置１Ａが、端末装置２Ａの第２のＲＮＴＩとして端末装置２ＢのＣ−ＲＮＴＩを設定した場合、端末装置２Ｂには追加の情報を送信する必要はないため、制御情報の増加を抑えることができる。
【００７６】
基地局装置１Ａは、所定の送信モード以外の送信モードの場合、下りリンク制御情報を第１のＲＮＴＩでマスクし、ＰＤＳＣＨで運ばれるコードワードは第１のＲＮＴＩに基づいてスクランブルし、送信する。端末装置２Ａは、所定の送信モード以外の送信モードの場合、第１のＲＮＴＩに基づいて下りリンク制御情報をブラインド復号し、第１のＲＮＴＩに基づいてＰＤＳＣＨに対してデスクランブルする。
【００７７】
ＰＤＣＣＨは、様々な場所（リソース、リソースエレメント）に配置される可能性がある。端末装置は、ＰＤＣＣＨが配置される可能性のある全ての領域を探索する。ＰＤＣＣＨが配置される可能性のある領域は、探索領域と呼ばれる。探索領域には、全端末装置で共通の探索領域である共通探索領域（ＣＳＳ：Ｃｏｍｍｏｎ  Ｓｅａｒｃｈ  Ｓｐａｃｅ）と端末装置固有の探索領域である端末装置固有探索領域（ＵＳＳ：ＵＥ  ｓｐｅｃｉｆｉｃ  Ｓｅａｒｃｈ  Ｓｐａｃｅ）がある。
【００７８】
基地局装置１Ａは、所定の送信モードの場合及び／又はＭＵ−ＮＡＩＣＳアシスト情報が設定されている場合、共通探索領域で下りリンク制御情報を送信する場合には第１のＲＮＴＩを用い、端末装置固有探索領域で下りリンク制御情報を送信する場合には第２のＲＮＴＩを用いることができる。端末装置２Ａは、所定の送信モードが設定されている場合、共通探索領域で下りリンク制御情報をブラインド復号する場合は第１のＲＮＴＩを用い、端末装置固有探索領域で下りリンク制御情報をブラインド復号する場合は第２のＲＮＴＩを用いることができる。つまり、端末装置２Ａは、所定の送信モードの場合もしくはＭＵ−ＮＡＩＣＳアシスト情報を受信した場合、共通探索領域で下りリンク制御情報を受信した場合は干渉信号の除去または抑圧は行わず、端末装置固有探索領域で下りリンク制御情報を受信した場合は干渉信号の除去または抑圧を行うことができる。
【００７９】
基地局装置１Ａは、所定の送信モード以外の送信モードの場合もしくは共通探索領域で下りリンク制御情報を送信する場合、第１のＲＮＴＩに基づいて下りリンク制御情報をマスクして、下りリンク制御情報を送信する。端末装置２Ａは、所定の送信モード以外の送信モードの場合もしくは共通探索領域で下りリンク制御情報を受信した場合、第１のＲＮＴＩに基づいて下りリンク制御情報をブラインド復号することができる。
【００８０】
また、基地局装置１Ａは、所定の送信モードの場合、第１のＤＣＩフォーマットの下りリンク制御情報は第２のＲＮＴＩでマスクし、第２のＤＣＩフォーマットの下りリンク制御情報は第１のＲＮＴＩでマスクすることができる。また、基地局装置１Ａは、所定の送信モードの場合、第１のＤＣＩは共通探索領域及び端末装置固有探索領域で送信することができ、第２のＤＣＩは端末装置固有探索領域で送信することができる。端末装置２Ａは、所定の送信モードの場合、第１のＤＣＩフォーマットに対しては第２のＲＮＴＩに基づいてブラインド復号し、第２のＤＣＩフォーマットに対しては第１のＲＮＴＩに基づいてブラインド復号する。また、端末装置２Ａは、所定の送信モードの場合、第１のＤＣＩは共通探索領域及び端末装置固有探索領域で受信することができ、第２のＤＣＩは端末装置固有探索領域で受信することができる。
【００８１】
また、基地局装置１Ａは、所定の送信モードの場合かつ端末固有探索領域にて下りリンク制御情報を送信する場合、第１のＤＣＩ及び第２のＤＣＩを同じ値の第２のＲＮＴＩでマスクすることができる。言い換えると、端末装置２Ａは、基地局装置１Ａが設定または送信した第２のＲＮＴＩを用いて第１のＤＣＩ及び第２のＤＣＩをブラインド復号することができる。端末装置２Ａは、例えば、干渉信号の送信モードもしくはＤＣＩフォーマットによって、第１のＤＣＩと第２のＤＣＩを区別することができる。端末装置２Ａが第２のＤＣＩを知ることができれば、ＭＵ−ＮＡＩＣＳアシスト情報に含めるパラメータを少なくすることができる。従って、制御情報によるオーバヘッドを低減できるため、スループットを向上させることができる。
【００８２】
また、基地局装置１Ａは、所定の送信モードの場合、複数の端末装置で共通の下りリンク制御情報を送信することができる。複数の端末装置で共通の下りリンク制御情報は第３の下りリンク制御情報（第３のＤＣＩ）とも呼称する。例えば、基地局装置１Ａは、第３のＤＣＩを第２のＲＮＴＩでマスクして送信することができる。複数の端末装置が同じ下りリンク制御情報を探索するため、基地局装置１Ａは、第３のＤＣＩは共通探索領域で送信することができる。所定の送信モードの場合、各端末装置は、共通探索領域で第２のＲＮＴＩに基づいて第３のＤＣＩをブラインド復号することができる。複数の端末装置で下りリンク制御情報を共有すれば、制御情報によるオーバヘッドを低減することができ、スループットを向上させることができる。
【００８３】
また、基地局装置１Ａは、制御情報によるオーバヘッドを低減するために、第１のＤＣＩおよび第２のＤＣＩに含まれるリソース割り当て情報を共通とすることができる。つまり、基地局装置１Ａは、所定の送信モードの場合、複数の端末装置を同じリソースで非直交多重するができる。この場合、端末装置２Ａは、自装置宛てのＰＤＳＣＨ１に割り当てられたすべてのリソースエレメント（リソースブロック）に、他装置宛ての信号（例えばＰＤＳＣＨ２）が非直交多重されていることを想定して、自装置宛てのＰＤＳＣＨ１を復調することができる。
【００８４】
また、基地局装置１Ａは、周波数ダイバーシチ利得の獲得を期待して、第１のＤＣＩと第２のＤＣＩに含まれるリソース割り当て情報を異なるものとすることができる。つまり、基地局装置１Ａは、複数の端末装置を一部のリソースで非直交多重することができる。この場合、端末装置２Ａは、自装置宛てのＰＤＳＣＨ１に割り当てられたリソースエレメント（リソースブロック）の一部に、他装置宛ての信号（例えばＰＤＳＣＨ２）が非直交多重されていることを想定して、自装置宛てのＰＤＳＣＨ１を復調することができる。端末装置２Ａは、例えばブラインド検出によって、他装置宛ての信号が非直交多重されているリソースエレメント（リソースブロック）を検出することができる。例えば、端末装置２Ａはリソースブロック毎に多重される端末固有参照信号の電力を比較することでブラインド検出できる。
【００８５】
また、基地局装置１Ａは、第１のＤＣＩに、ＰＤＳＣＨ１に非直交多重されている他装置宛ての信号（例えばＰＤＳＣＨ２）のリソース割り当てを示す情報を含めることができる。基地局装置１Ａは、第１のＤＣＩに、ＰＤＳＣＨ２に対するリソース割り当て情報を含めることができるし、ＰＤＳＣＨ１に対するリソース割り当て情報と、ＰＤＳＣＨ２に対するリソース割り当て情報が共通か否かを示す情報を含めることができる。また、基地局装置１Ａは第１のＤＣＩに非直交多重されているリソースに関する情報を含めることができる。端末装置２Ａは、非直交多重されているリソースに関する情報に基づいて、非直交多重されているリソースについて、干渉信号を除去または抑圧する。
【００８６】
また、基地局装置１Ａは、第１のＤＣＩに、ＰＤＳＣＨ１に割り当てた電力が、ＰＤＳＣＨ１に割り当てたリソースエレメント（リソースブロック）内で共通か否かを示す情報を含めることができる。端末装置２Ａは、該情報に基づいて、ＰＤＳＣＨ１に非直交多重されている他装置宛ての信号が、ＰＤＳＣＨ１全体に非直交多重されているのか、部分的に非直交多重されているのかブラインド検出することができる。
【００８７】
図３は、本実施形態における基地局装置１Ａの構成を示す概略ブロック図である。図３に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００８８】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００８９】
上位層処理部１０１は、端末装置の機能（UE capability）等、端末装置に関する情報を端末装置から受信する。言い換えると、端末装置は、自身の機能を基地局装置に上位層の信号で送信する。
【００９０】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００９１】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００９２】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００９３】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００９４】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００９５】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００９６】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００９７】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００９８】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【００９９】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１００】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１０１】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１０２】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０３】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０４】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１０５】
また、多重分離部１０４２は、ＰＵＣＣＨとＰＵＳＣＨの伝搬路の補償を行なう。また、多重分離部１０４２は、上りリンク参照信号を分離する。
【０１０６】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１０７】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０８】
図４は、本実施形態における端末装置２の構成を示す概略ブロック図である。図４に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１０９】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１０】
上位層処理部２０１は、自端末装置がサポートしている端末装置の機能を示す情報を、送信部２０３に出力する。
【０１１１】
無線リソース制御部２０１１は、自端末装置の各種設定情報の管理をする。また、無線リソース制御部２０１１は、上りリンクの各チャネルに配置される情報を生成し、送信部２０３に出力する。
【０１１２】
無線リソース制御部２０１１は、基地局装置から送信されたＣＳＩフィードバックに関する設定情報を取得し、制御部２０２に出力する。
【０１１３】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１４】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１１５】
制御部２０２は、チャネル状態情報生成部２０５が生成したＣＳＩを基地局装置に送信するように送信部２０３を制御する。
【０１１６】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１１７】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１１８】
また、無線受信部２０４１は、変換したディジタル信号からＣＰに相当する部分を除去し、ＣＰを除去した信号に対して高速フーリエ変換を行い、周波数領域の信号を抽出する。
【０１１９】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１２０】
信号検出部２０４３は、ＰＤＳＣＨ、チャネル推定値を用いて、信号検出し、上位層処理部２０１に出力する。
【０１２１】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１２２】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１２３】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２４】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１２５】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１２６】
無線送信部２０３５は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１２７】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２８】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１２９】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１３０】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１３１】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１３２】
本発明は、基地局装置、端末装置および通信方法に用いて好適である。
【符号の説明】
【０１３３】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2018056605.tif 000003
【図２】
2018056605.tif 000004
【図３】
2018056605.tif 000005
【図４】
2018056605.tif 000006